(57)【特許請求の範囲】
【請求項１】
通信装置によって送信されたプリアンブル信号を検出することと；
無線インターフェースを介してランダムアクセス応答メッセージのためのスケジューリング割当てを送信することと；
を含む方法であって、
前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別され、
前記プリアンブル信号は２以上のシステムフレームにおいて送信され、
前記識別子は、前記プリアンブル信号が最初に検出された前記システムフレームの前記インデックスに少なくとも部分的に依存する値を有する、
方法。
【請求項２】
前記通信装置の前記特徴に応じて、複数のサブフレームにわたってスケジューリング割当てを反復送信することを含む、請求項１に記載の方法。
【請求項３】
前記通信装置の前記特徴は、前記通信装置に割当てられたカバレッジ拡張レベルであり、前記識別子は、一変数として、前記割当てられたカバレッジ拡張レベルを含む数式から求められる値を有する、請求項１または２に記載の方法。
【請求項４】
通信装置によって送信されたプリアンブル信号を検出することと；
無線インターフェースを介してランダムアクセス応答メッセージのためのスケジューリング割当てを送信することと；
を含む方法であって、
前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別され、
前記識別子として可能な値の各セットが各カバレッジ拡張レベル用に確保され、
前記スケジューリング割当てのための前記識別子の値を前記通信装置に割当てられた前記カバレッジ拡張レベル用に確保された前記可能な値のセットから選択することをさらに含む、
方法。
【請求項５】
前記識別子は、ランダムアクセス無線ネットワーク仮識別子である、請求項１から４のいずれかに記載の方法。
【請求項６】
通信装置からプリアンブル信号を送信することと；
（ｉ）前記スケジューリング割当ての送信に関する前記通信装置の特徴および／または前記プリアンブル信号から識別可能な前記通信装置の特徴と；（ｉｉ）前記プリアンブル信号が送信されたシステムフレームのインデックスと；のうちの１つ以上に少なくとも部分的に依存する値を有する識別子によって識別される、ランダムアクセス応答スケジューリング割当てを検索することと；
前記プリアンブル信号を２以上のシステムフレームにおいて送信することと；
を含み、前記識別子は、前記プリアンブル信号が最初に送信された前記システムフレームの前記インデックスに少なくとも部分的に依存する値を有する、方法。
【請求項７】
通信装置から送信されたプリアンブル信号を検出することと；
前記プリアンブル信号に応答してランダムアクセス応答スケジューリング割当てを生成することと；
応答ウィンドウ内のあるタイミングで無線インターフェースを介して前記スケジューリング割当ての送信を開始することと；
を含む方法であって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記プリアンブル信号は２以上のシステムフレームにおいて送信され、
前記応答ウィンドウのサイズおよび／または位置は、前記プリアンブル信号が最初に検出された前記システムフレームの前記インデックスに少なくとも部分的に依存する値を有する、
方法。
【請求項８】
前記通信装置の前記特徴に応じて、複数の隣接サブフレームにおいてスケジューリング割当てを反復送信することを含む、請求項７に記載の方法。
【請求項９】
通信装置から送信されたプリアンブル信号を検出することと；
前記プリアンブル信号に応答してランダムアクセス応答スケジューリング割当てを生成することと；
応答ウィンドウ内のあるタイミングで無線インターフェースを介して前記スケジューリング割当ての送信を開始することと；
を含む方法であって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記応答ウィンドウのサイズは、前記通信装置が偶数番のシステムフレームにおいて前記プリアンブル信号を送信することを要求されるか否かに応じて決まる、
方法。
【請求項１０】
通信装置から送信されたプリアンブル信号を検出することと；
前記プリアンブル信号に応答してランダムアクセス応答スケジューリング割当てを生成することと；
応答ウィンドウ内のあるタイミングで無線インターフェースを介して前記スケジューリング割当ての送信を開始することと；
を含む方法であって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記通信装置の前記特徴は、前記通信装置に割当てられたカバレッジ拡張レベルであり、
前記応答ウィンドウのそれぞれ異なる部分が各カバレッジ拡張レベルに割当てられ、
前記通信装置に割当てられた前記カバレッジ拡張レベルに割当てられた前記応答ウィンドウの部分において前記スケジューリング割当ての送信を開始することを更に含む、
方法。
【請求項１１】
プリアンブル信号を送信することと；
無線アクセスネットワークからのランダムアクセス応答スケジューリング割当ての検索を、検索空間に制限することと；
を含む方法であって、
前記検索空間のサイズおよび／または位置は、（ｉ）前記スケジューリング割当ての送信に関する前記通信装置の特徴および／または前記プリアンブル信号から識別可能な前記通信装置の特徴と；（ｉｉ）前記通信装置がランダムアクセスプリアンブル信号を送信するシステムフレームのインデックスと；のうちの１つ以上に少なくとも部分的に依存し、
さらに前記方法は、２以上のシステムフレームにおいて前記プリアンブル信号を送信することを含み、
前記識別子は、前記プリアンブル信号が最初に送信された前記システムフレームの前記インデックスに少なくとも部分的に依存する値を有する、
方法。
【請求項１２】
前記プリアンブル信号は物理ランダムアクセスチャネル信号であり、前記スケジューリング割当ては物理ダウンリンク制御チャネル信号によるものである、請求項１から１１のいずれかに記載の方法。
【請求項１３】
処理手段及び記憶手段を備える装置であって、前記記憶手段はプログラム命令を格納し、前記プログラム命令は、前記処理手段に実行されると、前記装置に、請求項１から５及び７から１０のいずれかに記載の方法を遂行させるように構成される、装置。
【請求項１４】
処理手段及び記憶手段を備える装置であって、前記記憶手段はプログラム命令を格納し、前記プログラム命令は、前記処理手段に実行されると、前記装置に、請求項６または１１に記載の方法を遂行させるように構成される、装置。
【請求項１５】
装置の処理手段に実行されると、前記装置に、請求項１から５及び７から１０のいずれかに記載の方法を遂行させるように構成されるプログラム命令を備える、コンピュータプログラム。
【請求項１６】
装置の処理手段に実行されると、前記装置に、請求項６または１１に記載の方法を遂行させるように構成されるプログラム命令を備える、コンピュータプログラム。
【請求項１７】
通信装置によって送信されたプリアンブル信号を検出する手段と；
無線インターフェースを介してランダムアクセス応答メッセージのためのスケジューリング割当てを送信する手段と；
を備えるシステムであって、
前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別され、
前記プリアンブル信号は２以上のシステムフレームにおいて送信され、
前記識別子は、前記プリアンブル信号が最初に検出された前記システムフレームの前記インデックスに少なくとも部分的に依存する値を有する、
システム。
【請求項１８】
通信装置によって送信されたプリアンブル信号を検出する手段と；
無線インターフェースを介してランダムアクセス応答メッセージのためのスケジューリング割当てを送信する手段と；
を備えるシステムであって、
前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別され、
前記識別子として可能な値の各セットが各カバレッジ拡張レベル用に確保され、
前記スケジューリング割当てのための前記識別子の値を前記通信装置に割当てられた前記カバレッジ拡張レベル用に確保された前記可能な値のセットから選択する手段をさらに備える、
システム。
【請求項１９】
通信装置からプリアンブル信号を送信する手段と；
（ｉ）前記スケジューリング割当ての送信に関する前記通信装置の特徴および／または前記プリアンブル信号から識別可能な前記通信装置の特徴と；（ｉｉ）前記プリアンブル信号が送信されたシステムフレームのインデックスと；のうちの１つ以上に少なくとも部分的に依存する値を有する識別子によって識別される、ランダムアクセス応答スケジューリング割当てを検索する手段と；
前記プリアンブル信号を２以上のシステムフレームにおいて送信する手段と；
を備え、前記識別子は、前記プリアンブル信号が最初に送信された前記システムフレームの前記インデックスに少なくとも部分的に依存する値を有する、システム。
【請求項２０】
通信装置から送信されたプリアンブル信号を検出する手段と；
前記プリアンブル信号に応答してランダムアクセス応答スケジューリング割当てを生成する手段と；
応答ウィンドウ内のあるタイミングで無線インターフェースを介して前記スケジューリング割当ての送信を開始する手段と；
を備えるシステムであって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記プリアンブル信号は２以上のシステムフレームにおいて送信され、
前記応答ウィンドウのサイズおよび／または位置は、前記プリアンブル信号が最初に検出された前記システムフレームの前記インデックスに少なくとも部分的に依存する値を有する、
システム。
【請求項２１】
通信装置から送信されたプリアンブル信号を検出する手段と；
前記プリアンブル信号に応答してランダムアクセス応答スケジューリング割当てを生成する手段と；
応答ウィンドウ内のあるタイミングで無線インターフェースを介して前記スケジューリング割当ての送信を開始する手段と；
を備えるシステムであって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記応答ウィンドウのサイズは、前記通信装置が偶数番のシステムフレームにおいて前記プリアンブル信号を送信することを要求されるか否かに応じて決まる、
システム。
【請求項２２】
通信装置から送信されたプリアンブル信号を検出する手段と；
前記プリアンブル信号に応答してランダムアクセス応答スケジューリング割当てを生成する手段と；
応答ウィンドウ内のあるタイミングで無線インターフェースを介して前記スケジューリング割当ての送信を開始する手段と；
を備えるシステムであって、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存し、
前記通信装置の前記特徴は、前記通信装置に割当てられたカバレッジ拡張レベルであり、
前記応答ウィンドウのそれぞれ異なる部分が各カバレッジ拡張レベルに割当てられ、
前記通信装置に割当てられた前記カバレッジ拡張レベルに割当てられた前記応答ウィンドウの部分において前記スケジューリング割当ての送信を開始する手段を更に備える、
システム。
【請求項２３】
プリアンブル信号を送信する手段と；
無線アクセスネットワークからのランダムアクセス応答スケジューリング割当ての検索を、検索空間に制限する手段と；
を備えるシステムであって、
前記検索空間のサイズおよび／または位置は、（ｉ）前記スケジューリング割当ての送信に関する前記通信装置の特徴および／または前記プリアンブル信号から識別可能な前記通信装置の特徴と；（ｉｉ）前記通信装置がランダムアクセスプリアンブル信号を送信するシステムフレームのインデックスと；のうちの１つ以上に少なくとも部分的に依存し、
さらに前記システムは、２以上のシステムフレームにおいて前記プリアンブル信号を送信する手段を備え、
前記識別子は、前記プリアンブル信号が最初に送信された前記システムフレームの前記インデックスに少なくとも部分的に依存する値を有する、
システム。
【発明の詳細な説明】
【発明の詳細な説明】
【０００１】
無線通信装置のカバレッジを拡張するために提案されているある技術では、ランダムアクセス応答メッセージのためのスケジューリング割当てを反復送信し、無線リソースの同一のセットを２以上のスケジューリング割当てに使用する。
【０００２】
本願の発明者らは、ランダムアクセス応答メッセージのためのスケジューリング割当てを反復送信する際に発生する問題を避けるまたは抑制する新たな技術の開発という課題に取り組んだ。
【０００３】
これにより、本明細書は、通信装置によって送信されたプリアンブル信号を検出することと、無線インターフェースを介してランダムアクセス応答メッセージのためのスケジューリング割当てを送信することとを含む方法であって、前記スケジューリング割当ては、（ｉ）前記スケジューリング割当ての送信に関する前記通信装置の特徴および／または前記プリアンブル信号から識別可能な前記通信装置の特徴、および、（ｉｉ）前記プリアンブル信号が検出されたシステムフレームのインデックス、のうちの１つ以上に少なくとも部分的に依存する値を有する識別子によって識別される方法を提供する。
【０００４】
ある実施形態では、前記プリアンブル信号は２以上のシステムフレームにおいて送信され、前記識別子は、前記プリアンブル信号が最初に検出された前記システムフレームの前記インデックスに少なくとも部分的に依存する値を有する。
【０００５】
ある実施形態では、前記方法は、前記通信装置の前記特徴に応じて、複数のサブフレームにわたってスケジューリング割当てを反復送信することを含む。
【０００６】
ある実施形態では、前記通信装置の前記特徴は、前記通信装置に割当てられたカバレッジ拡張レベルであり、前記識別子は、一変数として、前記割当てられたカバレッジ拡張レベルを含む数式から求められる値を有する。
【０００７】
ある実施形態では、前記識別子として可能な値の各セットが各カバレッジ拡張レベル用に確保され、前記方法は、前記スケジューリング割当てのための前記識別子の値を前記通信装置に割当てられた前記カバレッジ拡張レベル用に確保された前記可能な値のセットから選択することをさらに含む。
【０００８】
ある実施形態では、前記識別子は、ランダムアクセス無線ネットワーク仮識別子である。
【０００９】
さらに、通信装置からプリアンブル信号を送信することと、（ｉ）前記スケジューリング割当ての送信に関する前記通信装置の特徴および／または前記プリアンブル信号から識別可能な前記通信装置の特徴、および、（ｉｉ）前記プリアンブル信号が送信されたシステムフレームのインデックス、のうちの１つ以上に少なくとも部分的に依存する値を有する識別子によって識別される、ランダムアクセス応答スケジューリング割当てを検索することを含む方法を提供する。
【００１０】
ある実施形態では、前記方法は、前記プリアンブル信号を２以上のシステムフレームにおいて送信することを含み、前記識別子は、前記プリアンブル信号が最初に送信された前記システムフレームの前記インデックスに少なくとも部分的に依存する値を有する。
【００１１】
さらに、通信装置から送信されたプリアンブル信号を検出することと、前記プリアンブル信号に応答してランダムアクセス応答スケジューリング割当てを生成することと、応答ウィンドウ内のあるタイミングで無線インターフェースを介して前記スケジューリング割当ての送信を開始することとを含む方法であって、前記応答ウィンドウのサイズおよび／または位置は、前記スケジューリング割当ての送信に関する前記通信装置の特徴、および、ランダムアクセスプリアンブル信号が検出されたシステムフレームのインデックス、のうちの１つ以上に少なくとも部分的に依存する方法を提供する。
【００１２】
ある実施形態では、前記プリアンブル信号は２以上のシステムフレームにおいて送信され、前記応答ウィンドウのサイズおよび／または位置は、前記プリアンブル信号が最初に検出された前記システムフレームの前記インデックスに少なくとも部分的に依存する値を有する。
【００１３】
ある実施形態では、前記方法は、前記通信装置の前記特徴に応じて、複数の隣接サブフレームにおいてスケジューリング割当てを反復送信することを含む。
【００１４】
ある実施形態では、前記応答ウィンドウのサイズは、前記通信装置が偶数番のシステムフレームにおいて前記プリアンブル信号を送信することを要求されるか否かに応じて決まる。
【００１５】
ある実施形態では、前記通信装置の前記特徴は、前記通信装置に割当てられたカバレッジ拡張レベルであり、前記応答ウィンドウのそれぞれ異なる部分が各カバレッジ拡張レベルに割当てられ、前記方法は、前記通信装置に割当てられた前記カバレッジ拡張レベルに割当てられた前記応答ウィンドウの部分において前記スケジューリング割当ての送信を開始することを含む。
【００１６】
さらに、プリアンブル信号を送信することと、無線アクセスネットワークからのランダムアクセス応答スケジューリング割当ての検索を、検索空間に制限することとを含む方法であって、前記検索空間のサイズおよび／または位置は、前記スケジューリング割当ての送信に関する前記通信装置の特徴および／または前記プリアンブル信号から識別可能な前記通信装置の特徴と、前記通信装置がランダムアクセスプリアンブル信号を送信するシステムフレームのインデックスとのうちの１つ以上に少なくとも部分的に依存する方法を提供する。
【００１７】
ある実施形態では、前記方法は、２以上のシステムフレームにおいて前記プリアンブル信号を送信することを含み、前記識別子は、前記プリアンブル信号が最初に送信された前記システムフレームの前記インデックスに少なくとも部分的に依存する値を有する。
【００１８】
ある実施形態では、前記プリアンブル信号は物理ランダムアクセスチャネル信号であり、前記スケジューリング割当ては物理ダウンリンク制御チャネル信号によるものである。
【００１９】
さらに、プロセッサと、コンピュータプログラムコードを有するメモリとを含む装置であって、前記メモリおよびコンピュータプログラムコードは、前記プロセッサとともに、前記装置に、通信装置によって送信されたプリアンブル信号を検出させ、無線インターフェースを介してランダムアクセス応答メッセージのためのスケジューリング割当てを送信させるように構成され、前記スケジューリング割当ては、（ｉ）前記スケジューリング割当ての送信に関する前記通信装置の特徴および／または前記プリアンブル信号から識別可能な前記通信装置の特徴、および、（ｉｉ）前記プリアンブル信号が検出されたシステムフレームのインデックス、のうちの１つ以上に少なくとも部分的に依存する値を有する識別子によって識別される装置を提供する。
【００２０】
ある実施形態では、前記プリアンブル信号は２以上のシステムフレームにおいて送信され、前記識別子は、前記プリアンブル信号が最初に検出された前記システムフレームの前記インデックスに少なくとも部分的に依存する値を有する。
【００２１】
ある実施形態では、前記メモリおよびコンピュータプログラムコードはさらに、前記プロセッサとともに、前記装置に、前記通信装置の前記特徴に応じて、複数のサブフレームにわたってスケジューリング割当てを反復送信させるように構成されている。
【００２２】
ある実施形態では、前記通信装置の前記特徴は、前記通信装置に割当てられたカバレッジ拡張レベルであり、前記識別子は、一変数として、前記割当てられたカバレッジ拡張レベルを含む数式から求められる値を有する。
【００２３】
ある実施形態では、前記識別子として可能な値の各セットが各カバレッジ拡張レベル用に確保され、前記メモリおよびコンピュータプログラムコードはさらに、前記プロセッサとともに、前記装置に、前記スケジューリング割当てのための前記識別子の値を前記通信装置に割当てられた前記カバレッジ拡張レベル用に確保された前記可能な値のセットから選択させるように構成されている。
【００２４】
ある実施形態では、前記識別子は、ランダムアクセス無線ネットワーク仮識別子である。
【００２５】
さらに、プロセッサと、コンピュータプログラムコードを有するメモリとを含む装置であって、前記メモリおよびコンピュータプログラムコードは、前記プロセッサとともに、前記装置に、通信装置からプリアンブル信号を送信させ、（ｉ）前記スケジューリング割当ての送信に関する前記通信装置の特徴および／または前記プリアンブル信号から識別可能な前記通信装置の特徴、および、（ｉｉ）前記プリアンブル信号が送信されたシステムフレームのインデックス、のうちの１つ以上に少なくとも部分的に依存する値を有する識別子によって識別される、ランダムアクセス応答スケジューリング割当てを検索させるように構成されている装置を提供する。
【００２６】
ある実施形態では、前記メモリおよびコンピュータプログラムコードはさらに、前記プロセッサとともに、前記装置に、前記プリアンブル信号を２以上のシステムフレームにおいて送信させ、前記識別子は、前記プリアンブル信号が最初に送信された前記システムフレームの前記インデックスに少なくとも部分的に依存する値を有する。
【００２７】
さらに、プロセッサと、コンピュータプログラムコードを有するメモリとを含む装置であって、前記メモリおよびコンピュータプログラムコードは、前記プロセッサとともに、前記装置に、通信装置から送信されたプリアンブル信号を検出させ、前記プリアンブル信号に応答してランダムアクセス応答スケジューリング割当てを生成させ、応答ウィンドウ内のあるタイミングで無線インターフェースを介して前記スケジューリング割当ての送信を開始させるように構成され、前記応答ウィンドウのサイズおよび／または位置は、前記スケジューリング割当ての送信に関する前記通信装置の特徴、およびランダムアクセスプリアンブル信号が検出されたシステムフレームのインデックス、のうちの１つ以上に少なくとも部分的に依存する装置を提供する。
【００２８】
ある実施形態では、前記プリアンブル信号は２以上のシステムフレームにおいて送信され、前記応答ウィンドウのサイズおよび／または位置は、前記プリアンブル信号が最初に検出された前記システムフレームの前記インデックスに少なくとも部分的に依存する値を有する。
【００２９】
ある実施形態では、前記メモリおよびコンピュータプログラムコードはさらに、前記プロセッサとともに、前記装置に、前記通信装置の前記特徴に応じて、複数の隣接サブフレームにおいてスケジューリング割当てを反復送信させるように構成されている。
【００３０】
ある実施形態では、前記応答ウィンドウのサイズは、前記通信装置が偶数番のシステムフレームにおいて前記プリアンブル信号を送信することを要求されるか否かに応じて決まる。
【００３１】
ある実施形態では、前記通信装置の前記特徴は、前記通信装置に割当てられたカバレッジ拡張レベルであり、前記応答ウィンドウのそれぞれ異なる部分が各カバレッジ拡張レベルに割当てられ、前記メモリおよびコンピュータプログラムコードはさらに、前記プロセッサとともに、前記装置に、前記通信装置に割当てられた前記カバレッジ拡張レベルに割当てられた前記応答ウィンドウの部分において前記スケジューリング割当ての送信を開始させるように構成されている。
【００３２】
さらに、プロセッサと、コンピュータプログラムコードを有するメモリとを含む装置であって、前記メモリおよびコンピュータプログラムコードは、前記プロセッサとともに、前記装置に、プリアンブル信号を送信させ、無線アクセスネットワークからのランダムアクセス応答スケジューリング割当ての検索を、検索空間に制限させるように構成され、前記検索空間のサイズおよび／または位置は、前記スケジューリング割当ての送信に関する前記通信装置の特徴および／または前記プリアンブル信号から識別可能な前記通信装置の特徴と、前記通信装置がランダムアクセスプリアンブル信号を送信するシステムフレームのインデックスとのうちの１つ以上に少なくとも部分的に依存する装置を提供する。
【００３３】
ある実施形態では、前記メモリおよびコンピュータプログラムコードはさらに、前記プロセッサとともに、前記装置に、２以上のシステムフレームにおいて前記プリアンブル信号を送信させるように構成され、前記識別子は、前記プリアンブル信号が最初に送信された前記システムフレームの前記インデックスに少なくとも部分的に依存する値を有する。
【００３４】
ある実施形態では、前記プリアンブル信号は物理ランダムアクセスチャネル信号であり、前記スケジューリング割当ては物理ダウンリンク制御チャネル信号によるものである。
【００３５】
さらに、上記方法のいずれかを実施するように構成されている装置を提供する。
【００３６】
さらに、プログラムコード手段を含むコンピュータプログラム製品であって、前記プログラムコード手段は、コンピュータに展開されると、前記コンピュータを制御して、通信装置によって送信されたプリアンブル信号を検出させ、無線インターフェースを介してランダムアクセス応答メッセージのためのスケジューリング割当てを送信させ、前記スケジューリング割当ては、（ｉ）前記スケジューリング割当ての送信に関する前記通信装置の特徴および／または前記プリアンブル信号から識別可能な前記通信装置の特徴、および、（ｉｉ）前記プリアンブル信号が検出されたシステムフレームのインデックス、のうちの１つ以上に少なくとも部分的に依存する値を有する識別子によって識別されるコンピュータプログラム製品を提供する。
【００３７】
さらに、プログラムコード手段を含むコンピュータプログラム製品であって、前記プログラムコード手段は、コンピュータに展開されると、前記コンピュータを制御して、通信装置からプリアンブル信号を送信させ、（ｉ）前記スケジューリング割当ての送信に関する前記通信装置の特徴および／または前記プリアンブル信号から識別可能な前記通信装置の特徴、および、（ｉｉ）前記プリアンブル信号が送信されたシステムフレームのインデックス、のうちの１つ以上に少なくとも部分的に依存する値を有する識別子によって識別される、ランダムアクセス応答スケジューリング割当てを検索させるコンピュータプログラム製品を提供する。
【００３８】
さらに、プログラムコード手段を含むコンピュータプログラム製品であって、前記プログラムコード手段は、コンピュータに展開されると、前記コンピュータを制御して、通信装置から送信されたプリアンブル信号を検出させ、前記プリアンブル信号に応答してランダムアクセス応答スケジューリング割当てを生成させ、応答ウィンドウ内のあるタイミングで無線インターフェースを介して前記スケジューリング割当ての送信を開始させるように構成され、前記応答ウィンドウのサイズおよび／または位置は、前記スケジューリング割当ての送信に関する前記通信装置の特徴、および、ランダムアクセスプリアンブル信号が検出されたシステムフレームのインデックス、のうちの１つ以上に少なくとも部分的に依存するコンピュータプログラム製品を提供する。
【００３９】
さらに、プログラムコード手段を含むコンピュータプログラム製品であって、前記プログラムコード手段は、コンピュータに展開されると、前記コンピュータを制御して、プリアンブル信号を送信させ、無線アクセスネットワークからのランダムアクセス応答スケジューリング割当ての検索を、検索空間に制限させるように構成され、前記検索空間のサイズおよび／または位置は、前記スケジューリング割当ての送信に関する前記通信装置の特徴および／または前記プリアンブル信号から識別可能な前記通信装置の特徴と、前記通信装置がランダムアクセスプリアンブル信号を送信するシステムフレームのインデックスと、のうちの１つ以上に少なくとも部分的に依存するコンピュータプログラム製品を提供する。
【００４０】
以下に、例示のみを目的として、以下に挙げる添付の図面を参照しながら、ランダムアクセス応答メッセージのためのスケジューリング割当ての反復送信に関する技術を詳細に説明する。
図１は、無線アクセスネットワークのアクセスノードと通信状態にある通信装置の例を示す図である。
図２は、図１に示すユーザ機器の一例の構成要素を示す図である。
図３は、図１に示すアクセスノードに好適な装置の例における構成要素を示す図である。
図４は、サブフレームにおける２以上のスケジューリング割当てに同一のＵＥ識別子が使用されるリスクを低減する技術の一例を示す図である。
図５は、図４の技術におけるｅＮＢおよびＵＥの動作例を示す図である。
図６は、スケジューリング割当て送信の反復因数に基づき、ランダムアクセス応答のためのスケジューリング割当ての反復送信を開始するための応答ウィンドウのサイズを制御する技術の一例を示す図である。
図７は、図６の技術におけるｅＮＢおよびＵＥの動作例を示す図である。
図８は、ｅＮＢおよびＵＥの別の動作例を示す図である。
【００４１】
図１は、無線アクセスネットワークの少なくとも１つのアクセスノード（たとえば、ｅＮｏｄｅＢ）２のカバレッジエリア内にある通信装置（ＵＥ）８の一群の例を示す。図１には２つのアクセスノード２のみが示されているが、無線アクセスネットワークには典型的に、広大で連続するカバレッジエリアを共同でカバーする多数のアクセスノードを含む。
【００４２】
図２は、無線インターフェースを介した、少なくとも図１のｅＮＢ２との通信に用い得るユーザ機器（User Equipment：ＵＥ）８の一例の概略図を示す。ユーザ機器８は、電話の発信および受信、データネットワークとのデータの授受、およびたとえばマルチメディアやその他のコンテンツの体験などの様々なタスクに用いてもよい。
【００４３】
ＵＥ８は、少なくとも図１のｅＮＢ２との無線信号の少なくとも授受が可能な任意の装置であってもよい。非限定的な例としては、モバイルスステーション（ＭＳ）、無線インターフェースカードまたはその他の無線インターフェース設備を備えるポータブルコンピュータ、無線通信機能を備えた携帯情報端末（Personal Data Assistant：ＰＤＡ）、またはこれらや類似のものの組合せが挙げられる。ＵＥ８は、ＵＥ８の適切な無線インターフェース配置部を介して通信を行ってもよい。インターフェース配置部は、たとえば無線部および対応するアンテナ配置部２０５によって実現されてもよい。アンテナ配置部は、ＵＥ８と一体的に設けられても外部に設けられてもよく、多層伝送スキームで動作可能な複数のアンテナを含んでもよい。
【００４４】
ＵＥ８には、実行するように設計されているタスクに使用される、少なくとも１つのデータ処理エンティティ２０３および少なくとも１つのメモリまたはデータ保存エンティティ２１７が設けられてもよい。データプロセッサ２１３およびメモリ２１７は、適切な回路基板２１９上、および／またはチップセット中に設けられてもよい。
【００４５】
ユーザは、キーパッド２０１、音声コマンド、タッチスクリーンまたはタッチパッド、またはこれらや類似のものの組合せなどの好適なユーザインターフェース等によって、ＵＥ８の動作を制御してもよい。ディスプレイ２１５、スピーカ、およびマイクロフォンを使用してもよい。さらに、ＵＥ８は、その他の装置との、および／またはたとえばハンズフリー機器などの外部の補機を接続するための、適切なコネクタ（有線または無線）を備えてもよい。
【００４６】
図２は、ユーザインターフェースを含むＵＥの一例を示しているが、ＵＥはユーザインターフェースを備えていない通信装置、たとえばマシンタイプコミュニケーション（ＭＴＣ）用に設計された装置であってもよい。
【００４７】
図３は、図１のネットワーク送受信エンティティ２で使用される装置の一例を示している。この装置は、無線周波数信号を送受信するように構成されている無線周波数アンテナアレイ３０１と、アンテナアレイ３０１によって送受信された無線周波数信号のインターフェースを取るように構成されている無線周波数インターフェース回路３０３と、データプロセッサ３０６とを備えている。無線周波数インターフェース回路３０３は、トランシーバとも呼ばれている。この装置は、その他のｅＮＢ２などの１以上の他のネットワークノードとの情報の送受信に介在するインターフェース３０９をさらに備えている。データプロセッサ３０６は、無線周波数インターフェース回路３０３からの信号を処理し、無線周波数インターフェース回路３０３を制御して無線通信リンクを介したＵＥ８へ情報通信を行うための好適なＲＦ信号を生成し、インターフェース３０９を介してその他のネットワークノードと情報をやり取りするように構成されている。メモリ３０７は、データプロセッサ３０６によって使用されるデータ、パラメータ、および指示を保存するために用いられる。
【００４８】
上述の図２および図３にそれぞれ示された装置は、以下に説明する本発明の実施形態に直接関与しない構成要素をさらに備えてもよいことが理解されよう。
【００４９】
アップリンク同期を達成するためには、またはアップリンク送信のための無線リソースを要求するためには、ＵＥ８は、物理ランダムアクセスチャネル（ＰＲＡＣＨ）を介してプリアンブル信号を送信し、次に、ＵＥ８によって予期される識別子（たとえば、ランダムアクセス無線ネットワーク仮識別子（ＲＡ−ＲＮＴＩ））が示すランダムアクセス応答メッセージ用のスケジューリング割当てのための物理ダウンリンク制御チャネル（ＰＤＣＣＨ）に関する応答ウィンドウ（時間で表される検索空間）を検索することにより、ランダムアクセス（ＲＡ）手続を開始してもよい。応答ウィンドウは、プリアンブル送信の終了を含むサブフレームの後の、所定数のサブフレーム（たとえば、３つのサブフレーム）の直後に続くサブフレームから始まる所定数の（たとえば、隣接する）サブフレームを含んでもよい。
【００５０】
現在提案されているのは、ある種のＵＥ（たとえば、主にまたはもっぱらマシンタイプコミュニケーション（ＭＴＣ）に関与している装置であって、信号処理能力が比較的低くカバレッジの拡張が必要な比較的低コストのチップセットを含んでもよい装置）が、複数のサブフレームにわたるプリアンブル信号を反復送信し、ｅＮＢが、所定の応答ウィンドウ内のいずれかの場所から始まる複数の（たとえば、隣接する）サブフレームにわたってランダムアクセス応答メッセージ用のスケジューリング割当て（たとえば、ＰＤＣＣＨまたはＥＰＤＣＣＨ）の反復送信で前記プリアンブル信号に対して応答するスキームである。
【００５１】
ランダムアクセス応答をスケジューリングするこの反復されたＰＤＣＣＨ送信では、２以上のランダムアクセス応答をスケジュールするためのＰＤＣＣＨ送信に同一のサブフレームのセットが使用されるリスクがある。たとえば、各連続システムフレームにおいて最初に送信されたプリアンブル信号でさえも、より早いシステムフレームのプリアンブル信号用の応答ウィンドウの終了時に開始する最初のランダムアクセス応答をスケジュールするためのＰＤＣＣＨの反復送信は、より遅いシステムフレームのプリアンブル信号用の応答ウィンドウの開始時の他のランダムアクセス応答をスケジュールするためのＰＤＣＣＨの送信（反復送信またはそうでない送信）と重複する場合がある。さらに、３ＧＰＰ  ＴＳ  ３６．３２１の現行バージョンにあるとおり、ＲＡ−ＲＮＴＩが数式ＲＡ−ＲＮＴＩ＝１＋ｔ＿ｉｄ＋１０×ｆ＿ｉｄ（式中、ｔ＿ｉｄはプリアンブル信号がＵＥによって送信された第１のサブフレームのインデックス、ｆ＿ｉｄは周波数領域の昇順に当該サブフレーム内での規定されたＰＲＡＣＨのインデックスを示す）によって求められるとき、周波数分割双方向システム（ｆ＿ｉｄ＝０）の場合、応答ウィンドウ（検索空間）内で開始されたランダムアクセス応答をスケジュールするための２以上のＰＤＣＣＨスケジューリング割当てに同一のＲＡ−ＲＮＴＩが使用されるリスクが著しく高まる。よって、ＵＥは、他のＵＥからのプリアンブル信号に応答してｅＮＢによって送信された１以上のＰＤＣＣＨ  ＲＡＲスケジューリング割当てを含む、当該ＵＥが検索しているＲＡ−ＲＮＴＩによって識別される２以上の有効なＰＤＣＣＨ  ＲＡＲスケジューリング割当てを検出してもよい。ＵＥは、（ａ）実際は当該ＵＥ用ではないＰＤＣＣＨの復号、および（ｂ）当該ＵＥ用ではないＰＤＣＣＨにおいて識別されたＰＤＳＣＨリソースの信号の検出および復号において、無駄に電力を消費して処理を行ってしまう。さらに、受信された物理リソースブロック（ＰＲＢ）の最大数に制限があることから、処理能力が比較的低いＵＥは、予期しているＲＡ−ＲＮＴＩで検出するすべてのランダム応答メッセージ用のＰＤＳＣＨ信号を検出、復号する能力を持ち合わせないことがあり得る。
【００５２】
ＵＥにおける無駄な信号処理のリスクを低減するための技術の一例としては、カバレッジ拡張（ＣＥ）スキーム（これらのＵＥを以下、ＣＥ  ＵＥと呼ぶ）の一環として反復されたＰＤＣＣＨ  ＲＡＲスケジューリング割当て送信に指定されたＵＥ用のＲＡ−ＲＮＴＩを求める別の数式を採用することが挙げられ、この場合、ＣＥ  ＵＥ用のランダムアクセス手続のためのＲＡ−ＲＮＴＩ値は、プリアンブル信号が最初に送信されたシステムフレーム数、および／または当該ＣＥ  ＵＥに割当てられた反復因数にさらに依存する。
【００５３】
たとえば、複数の所定のカバレッジ拡張（ＣＥ）レベルが、これを介してＵＥがプリアンブル信号を送信するｅＮＢセルに対して許可されてもよく、ここで各カバレッジ拡張レベルは異なるＲＡＲスケジューリング割当て反復因数に対応する。たとえばＣＥレベル１が応答ウィンドウ内の１つのサブフレームで開始する５つの隣接サブフレームのセットにわたるＰＤＣＣＨ  ＲＡＲスケジューリング割当ての反復を指定し、ＣＥレベル２が応答ウィンドウ内の１つのサブフレームで開始する１０の隣接サブフレームのセットにわたるランダムアクセス応答のためのＰＤＣＣＨ  ＲＡＲスケジューリング割当ての反復を指定するものであってもよい。ＣＥ  ＵＥ用のＲＡ−ＲＮＴＩを求める数式は、たとえば以下のとおりである。
ＲＡ−ＲＮＴＩ＝１＋ｔ＿ｉｄ＋１０×ｆ＿ｉｄ＋１００×ＣＥ＿ｌｅｖｅｌ＋ＳＦＮ
非ＣＥ  ＵＥ用のＲＡ−ＲＮＴＩを求める数式は、たとえば以下のとおりである。
ＲＡ−ＲＮＴＩ＝１＋ｔ＿ｉｄ＋ｆ＿ｉｄ
式中、ｔ＿ｉｄおよびｆ＿ｉｄは上記のとおりであり、ＣＥレベルはＵＥに割当てられたカバレッジ拡張レベルであり、ＳＦＮはＵＥが最初にプリアンブル信号を送信したシステムフレームのインデックスである。
【００５４】
図４は、４つのＵＥ用のＰＤＣＣＨ  ＲＡＲスケジューリング割当て送信のタイミングの一例を示している。上記の数式によると、非ＣＥ  ＵＥ１用のＲＡ−ＲＮＴＩは２であり、ＵＥ２（ＣＥレベル＝１）用のＲＡ−ＲＮＴＩは１０３であり、ＵＥ３（ＣＥレベル＝２）用のＲＡ−ＲＮＴＩレベルは２０３であり、ＵＥ４（ＣＥレベル＝１）用のＲＡ−ＲＮＴＩは１０４である。３ＧＰＰ  ＴＳ３６．３２１の現行バージョンで規定されたＲＡ−ＲＮＴＩ数式では、ＵＥ２、ＵＥ３、およびＵＥ４（ＦＤＤシステム内）すべてのＲＡ−ＲＮＴＩがＵＥ１のものと同一となり、４つのＵＥすべてが、それぞれのランダムアクセス応答ウィンドウから始まる、それぞれ検索している同一のＲＡ−ＲＮＴＩで識別される単一のまたは反復されたＰＤＣＣＨ  ＲＡＲスケジューリング割当て送信を検出する。さらに、同一の１以上のサブフレームにおいて同一のＲＡ−ＲＮＴＩによって識別される２以上のＰＤＣＣＨ  ＲＡＲスケジューリング割当て送信があり、たとえば、ＳＦＮ＃３のサブフレーム＃０（ＵＥ１およびＵＥ３）、ＳＦＮ＃３のサブフレーム＃３から６（ＵＥ２、ＵＥ３、ＵＥ４のすべて）、およびＳＦＮ＃３のサブフレーム＃７（ＵＥ３およびＵＥ４）である。
【００５５】
ＣＥ  ＵＥ用のＲＡ−ＲＮＴＩを求める数式の上記例では、一変数としてＣＥレベルインデックスを使用するが、たとえば、ランダムアクセス構成インデックス（たとえば、システム情報ブロックタイプ２で規定されるような）、または実際の反復因数自体を用いても、同様の結果を得られる。
【００５６】
図５は、ｅＮＢ２における一連の動作の例を示す。ＵＥ８がプリアンブル信号を送信し（ステップ５００）、ｅＮＢ２がプリアンブル信号を検出する（ステップ５０２）。ｅＮＢ２は、プリアンブル信号からＵＥ８のＣＥレベルを特定する（ステップ５０４）。たとえば、ＵＥ８は、異なるＣＥレベルに対して異なるＰＲＡＣＨフォーマットを使用するように構成されてもよく、ｅＮＢ２は、プリアンブル信号に使用されているＰＲＡＣＨフォーマットからＵＥ８のＣＥレベルを識別可能である。ｅＮＢ２は、上述の数式を用いてＲＡ−ＲＮＴＩ値を求める（ステップ５０６）。ｅＮＢ２は、ランダムアクセス応答のためのＰＤＣＣＨ  ＲＡＲスケジューリング割当てを生成する（ステップ５０８）。次に、ｅＮＢ２は、ＵＥ８にとって既知の所定の応答ウィンドウ内のサブフレームにおける、求められたＲＡ−ＲＮＴＩによって識別されたＰＤＣＣＨ  ＲＡＲスケジューリング割当ての送信を開始し、ＵＥ８のＣＥレベルに規定された数の隣接サブフレームにわたってＰＤＣＣＨ  ＲＡＲスケジューリング割当てを反復送信する（ステップ５１０）。さらにＵＥ８は、ｅＮＢ２と同様の方法で上述の数式を用いてＲＡ−ＲＮＴＩを求め、所定の応答ウィンドウにおいて、ＵＥ８が求めたＲＡ−ＲＮＴＩによって識別されたＰＤＣＣＨ  ＲＡＲスケジューリング割当てを検索する（ステップ５１２）。
【００５７】
一方、プリアンブル信号によってＵＥが非ＣＥ  ＵＥであることが示されている場合、ｅＮＢは、ＰＤＣＣＨ  ＲＡＲスケジューリング割当ての反復送信を行わず、ＲＡ−ＲＮＴＩ値を求める従来の数式を用いた従来の方法を実施する。
【００５８】
ＵＥにおける無駄な信号処理のリスクを低減する技術の別の例として、各ＲＡ−ＲＮＴＩ値をＣＥレベルおよびプリアンブルＳＦＩ（ＵＥが最初にプリアンブル信号を送信したシステムフレームのインデックス）の可能な組合せにそれぞれ事前に割当てることが挙げられる。どのＲＡ−ＲＮＴＩ値がＣＥレベルおよびＳＦＩのどの組合せに事前に割当てられたかについての情報は、ＵＥに保存された固定の情報であっても、たとえばシステム情報ブロックの一部として無線アクセスネットワークによってＵＥに提供された動的に構成されている情報であってもよい。ｅＮＢ２は、ＵＥのＣＥレベルをプリアンブル信号から識別し、ＣＥレベルおよびｅＮＢが最初にプリアンブル信号を検出したシステムフレームのインデックスの組合せに事前に割当てられたＲＡ−ＲＮＴＩ値を調べる。ｅＮＢは、ＰＤＳＣＨで送られたランダムアクセス応答メッセージのためのスケジューリング割当ての一部としてＲＡ−ＲＮＴＩ値を適用し、ＵＥは、潜在的ランダムアクセス応答のための当該ＲＡ−ＲＮＴＩによって示されたＰＤＣＣＨスケジューリング割当てを検索する。
【００５９】
無駄な信号処理のリスクを低減する技術の別の例として、ランダムアクセス応答メッセージをスケジュールするために用いられるＰＤＣＣＨ送信用の反復因数の大きさによって、応答ウィンドウのサイズを制御することが挙げられる。応答ウィンドウのサイズに関する規則の一例を以下に挙げる。ここで、ＵＥが偶数の指標を有するシステムフレームにおけるプリアンブル信号の送信の開始に制限されている場合（たとえば、３ＧＰＰ  ＴＳ３６．２１１の表５．７．１−２の「ＰＲＡＣＨ構成インデックス」が「システムフレーム数」＝「偶数」である場合）はＮ＝２であり、ＵＥにそのような制限がない場合（たとえば、３ＧＰＰ  ＴＳ３６．２１１の表５．７．１−２の「ＰＲＡＣＨ構成インデックス」が「システムフレーム数」＝「任意」である場合）はＮ＝１である。
【００６０】
Ｒａ−ＲｅｓｐｏｎｓｅＷｉｎｄｏｗＳｉｚｅ＜１０×Ｎ＋ＰＤＣＣＨ  ＲＡＲスケジューリング割当ての反復回数
【００６１】
図６は、異なるシステムフレームの同一のサブフレームインデックスでプリアンブル信号の送信を開始する２つのＵＥの例を示している。２つのＵＥは、５の反復因数を規定する同一のカバレッジ拡張レベルを有し、３ＧＰＰ  ＴＳ３６．２１１の表５．７．１−２の「ＰＲＡＣＨ構成インデックス」がＵＥ１およびＵＥ２の両方について３に設定されている（「システムフレーム数」＝「偶数」）。
【００６２】
上述の数式に基づいて、ｒａ−ＲｅｓｐｏｎｓｅＷｉｎｄｏｗＳｉｚｅは、たとえば、ＵＥ１およびＵＥ２の両方について設定され得る。たとえば、ｅＮＢは、各ＣＥレベルについて上述の数式を満たす各ｒａ−ＲｅｓｐｏｎｓｅＷｉｎｄｏｗＳｉｚｅを決定し、この情報をｅＮＢのカバレッジ内ですべてのＵＥによってアクセス可能な送信システム情報に含め得る。上述のとおり、応答ウィンドウは、プリアンブル送信の終了を含むサブフレームの後の、所定数のサブフレームの直後に続くサブフレームから始まる所定数の隣接サブフレームを含んでもよい。ＵＥ１に対するＲＡ応答ウィンドウはシステムフレーム＃２のサブフレーム＃３からサブフレーム＃７を占め、ＵＥ２のＲＡ応答ウィンドウはシステムフレーム＃３のサブフレーム＃３からサブフレーム＃７を占める。ＵＥ１に対するＰＤＣＣＨ  ＲＡＲスケジューリング割当ての送信がＵＥ１に対する応答ウィンドウの最後のサブフレームで開始されている場合であっても、また、ＵＥ２に対するＰＤＣＣＨ  ＲＡＲスケジューリング割当ての送信がＵＥ２の応答ウィンドウの最初のサブフレームで開始されている場合であっても、両方のＵＥに対してＰＤＣＣＨ  ＲＡＲスケジューリング割当てに共通に用いられるサブフレームはない。この技術の１つの変形例では、応答ウィンドウのサイズについてのこの制限は、反復回数が２×Ｎ−２未満（Ｎは上述の定義のとおり）の場合のみに適用される。
【００６３】
ｅＮＢ２での一連の動作の例を図７に示す。ｅＮＢ２は、応答ウィンドウのサイズの異なる反復因数に対するマッピングに関する、ＵＥ８がアクセス可能なシステム情報を同報する。ＵＥ８が隣接するサブフレームのセットにわたってプリアンブル信号を反復送信（ステップ７００）し、ｅＮＢ２がプリアンブル信号を検出する（ステップ７０２）。ｅＮＢ２は、プリアンブル信号からＵＥ８のＣＥレベルを特定する（ステップ７０４）。次にｅＮＢ２は、ランダムアクセス応答に対するＰＤＣＣＨスケジューリング割当てを生成し、従来の方法または上述の方法の１つを用いてＲＡ−ＲＮＴＩ値を求め、ＵＥ８の反復因数に基づいてあらかじめ定められた値から上述の条件を満たす応答ウィンドウのサイズを選択する（ステップ７０６）。ｅＮＢ２は、選択されたサイズの応答ウィンドウ内のサブフレームにおけるＰＤＣＣＨ  ＲＡＲスケジューリング割当ての送信を開始し、ＵＥ８に対するＣＥレベルに対応する数の隣接サブフレームにわたってＰＤＣＣＨ  ＲＡＲスケジューリング割当てを反復送信する（ステップ７０８）。さらにＵＥ８は、ｅＮＢ２によって同報されたシステム情報から、どの応答ウィンドウサイズがＵＥ８に割当てられたＣＥレベルに対してｅＮＢ２によって用いられているかを特定し、ｅＮＢ２と同様の方法でＲＡ−ＲＮＴＩ値を求める。ＵＥ８は、ＵＥ８が求めたＲＡ−ＲＮＴＩ値によって識別されたＰＤＣＣＨ  ＲＡＲスケジューリング割当てのための識別された応答ウィンドウ全体を検索する（ステップ７１０）。
【００６４】
一方、プリアンブル信号によってＵＥが非ＣＥ  ＵＥであることが示されている場合、ｅＮＢ２は、所定の通常の応答ウィンドウのサイズを用いた従来の方法を実施する。
【００６５】
無駄な信号処理のリスクを低減する技術の別の例としては、ＣＥレベルおよびプリアンブルＳＦＩ（および／または１以上のサブフレームが２以上のランダムアクセス応答に共通して用いられるリスクを低減するその他のパラメータ）の異なる組合せについて応答ウィンドウ内で異なる検索空間をあらかじめ定めることが挙げられる。ＵＥが、当該ＵＥに対する応答ウィンドウ内で予期されたＲＡ−ＲＮＴＩを有する２つの異なるＰＤＣＣＨ  ＲＡＲスケジューリング割当てを検出した場合でも、このことが復号エラーを引き起こさないのは、当該ＵＥ用のＲＡＲスケジューリング割当てがＵＥ  ＣＥレベルおよびプリアンブルＳＦＩの関連する組合せについての制限された検索空間内にある場合のみである。
【００６６】
ＵＥ８およびｅＮＢ２での一連の動作の一例を図８に示す。ＵＥ８がＵＥ８のＣＥレベルに対応する数の隣接サブフレームにわたってプリアンブル信号を反復送信し（ステップ８００）、ｅＮＢ２がプリアンブル信号を検出する（ステップ８０２）。ｅＮＢ２は、プリアンブル信号からＵＥ８のＣＥレベルを特定する（ステップ８０４）。次にｅＮＢ２は、ランダムアクセス応答メッセージに対するスケジューリング割当てを含むＰＤＣＣＨを生成し、従来の方法または上述の方法の１つを用いてＲＡ−ＲＮＴＩ値を求め、ルックアップテーブルから、検索空間のどのサイズおよび／または位置が、（ｉ）プリアンブル信号が最初に検出されたシステムフレームインデックス、および、（ｉｉ）プリアンブル信号からＵＥ８に対してｅＮＢ２によって識別されたＣＥレベルの組合せに事前に割当てられているかを調べる（ステップ８０６）。ｅＮＢ２は、事前に割当てられた検索空間内のサブフレームにおいて、上述の求めたＲＡ−ＲＮＴＩによって識別されたＰＤＣＣＨ  ＲＡＲスケジューリング割当ての送信を開始し、ＵＥ８のＣＥレベルに対応する数の隣接サブフレームにわたってＰＤＣＣＨ  ＲＡＲスケジューリング割当てを反復送信する（ステップ８０８）。さらにＵＥ８は、ｅＮＢ２と同様に検索空間を調べ、ｅＮＢ２と同様にＲＡ−ＲＮＴＩ値を求める（ステップ８１０）。ＵＥ８は、ＵＥ８が求めたＲＡ−ＲＮＴＩ値によって識別されたＰＤＣＣＨ  ＲＡＲスケジューリング割当てのための事前に割当てられた検索空間全体を検索する（ステップ８１２）。
【００６７】
一方、プリアンブル信号によってＵＥが非ＣＥ  ＵＥであることが示されている場合、ｅＮＢは、従来の方法を実施し、所定の通常の検索空間（応答ウィンドウ）内のいずれかの場所でのランダムアクセス応答用のＰＤＣＣＨスケジューリング割当ての送信を開始する。
【００６８】
以上は物理ダウンリンク制御チャネル（ＰＤＣＣＨ）を用いてＲＡＲスケジューリング割当てを送信する例について説明したが、この技術は、他のチャネルを用いてＲＡＲスケジューリング割当てを送信する場合、たとえば、他のチャネルを用いてアップリンク／ダウンリンク  スケジューリング割当ておよび／または送信電力制御コマンド、たとえば、拡張ＰＤＣＣＨ（ｅＰＤＣＣＨ）を送信する場合にも同様に適用可能である。
【００６９】
上述の動作には、各種エンティティでのデータ処理が必要となる場合がある。このデータ処理は、１以上のデータプロセッサによって実行されてもよい。同様に、上記実施形態に記載されている各種エンティティは、単数または複数のデータ処理エンティティ、および／またはデータプロセッサ内で実装されてもよい。適切に構成されたコンピュータプログラムコード製品を用いて、これがコンピュータに展開された際に実施形態を実施するようにしてもよい。上述の動作を提供するプログラムコード製品は、可搬のディスク、カード、またはテープなどの可搬媒体に保存されて提供されてもよい。当該プログラムコード製品をデータネットワークを介してダウンロードしてもよい。サーバ中の適切なソフトウェアによって実装されてもよい。
【００７０】
たとえば、本発明の実施形態は、チップセット、すなわち互いに通信する一連の集積回路として実装されてもよい。このチップセットは、コードを実行するように配置されたマイクロプロセッサ、特定用途向け集積回路（Application Specific Integrated Circuit：ＡＳＩＣ)、または上述の動作を実行するためのプログラム可能デジタル信号プロセッサを備えてもよい。
【００７１】
本発明の実施形態は、集積回路モジュールなどの様々な構成要素で実施してもよい。集積回路の設計は、概して高度に自動化されたプロセスによって実行される。論理レベルの設計を、半導体基板上にエッチングして形成できるように準備された半導体回路設計へと変換するための、複雑で強力なソフトウェアツールが利用可能である。
【００７２】
Synopsys. Inc.社（カリフォルニア州マウンテンビュー）やCadence Design社（カリフォルニア州サンノゼ）が提供するようなプログラムによって、確立された設計ルールおよびあらかじめ格納された設計モジュールのライブラリを使用して、自動的に半導体チップに導体を配線し、構成要素を配置する。半導体回路の設計が完成すると、出来上がった設計は標準的な電子フォーマット（Opus、GDSIIなど）に則っており、これを製造のために「ファブ」と呼ばれる半導体製造施設に搬送してもよい。
【００７３】
上述に明記された変形例に加えて、説明された実施形態のその他の変形も本発明の範囲内で行うことができることは、当業者には明らかであろう。
【００７４】
出願当初の特許請求の範囲に記載される、本願発明の好適な実施形態は次の通りである。
［１］通信装置によって送信されたプリアンブル信号を検出することと；
無線インターフェースを介してランダムアクセス応答メッセージのためのスケジューリング割当てを送信することと；
を含む方法であって、前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別される方法。
［２］前記プリアンブル信号は２以上のシステムフレームにおいて送信され、
前記識別子は、前記プリアンブル信号が最初に検出された前記システムフレームの前記インデックスに少なくとも部分的に依存する値を有する、
［１］に記載の方法。
［３］前記通信装置の前記特徴に応じて、複数のサブフレームにわたってスケジューリング割当てを反復送信することを含む、［１］または［２］に記載の方法。
［４］前記通信装置の前記特徴は、前記通信装置に割当てられたカバレッジ拡張レベルであり、前記識別子は、一変数として、前記割当てられたカバレッジ拡張レベルを含む数式から求められる値を有する、［１］から［３］のいずれかに記載の方法。
［５］前記識別子として可能な値の各セットが各カバレッジ拡張レベル用に確保され、
前記スケジューリング割当てのための前記識別子の値を前記通信装置に割当てられた前記カバレッジ拡張レベル用に確保された前記可能な値のセットから選択することをさらに含む、
［１］に記載の方法。
［６］前記識別子は、ランダムアクセス無線ネットワーク仮識別子である、［１］から［５］に記載の方法。
［７］通信装置からプリアンブル信号を送信することと；
（ｉ）前記スケジューリング割当ての送信に関する前記通信装置の特徴および／または前記プリアンブル信号から識別可能な前記通信装置の特徴と；（ｉｉ）前記プリアンブル信号が送信されたシステムフレームのインデックスと；のうちの１つ以上に少なくとも部分的に依存する値を有する識別子によって識別される、ランダムアクセス応答スケジューリング割当てを検索することと；
を含む方法。
［８］前記プリアンブル信号を２以上のシステムフレームにおいて送信することを更にを含む、［７］に記載の方法であって、
前記識別子は、前記プリアンブル信号が最初に送信された前記システムフレームの前記インデックスに少なくとも部分的に依存する値を有する、方法。
［９］通信装置から送信されたプリアンブル信号を検出することと；
前記プリアンブル信号に応答してランダムアクセス応答スケジューリング割当てを生成することと；
応答ウィンドウ内のあるタイミングで無線インターフェースを介して前記スケジューリング割当ての送信を開始することと；
を含む方法であって、前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存する方法。
［１０］前記プリアンブル信号は２以上のシステムフレームにおいて送信され、
前記応答ウィンドウのサイズおよび／または位置は、前記プリアンブル信号が最初に検出された前記システムフレームの前記インデックスに少なくとも部分的に依存する値を有する、
［９］に記載の方法。
［１１］前記通信装置の前記特徴に応じて、複数の隣接サブフレームにおいてスケジューリング割当てを反復送信することを含む、［９］または［１０］に記載の方法。
［１２］前記応答ウィンドウのサイズは、前記通信装置が偶数番のシステムフレームにおいて前記プリアンブル信号を送信することを要求されるか否かに応じて決まる、［９］から［１１］のいずれかに記載の方法。
［１３］前記通信装置の前記特徴は、前記通信装置に割当てられたカバレッジ拡張レベルであり、
前記応答ウィンドウのそれぞれ異なる部分が各カバレッジ拡張レベルに割当てられ、
前記通信装置に割当てられた前記カバレッジ拡張レベルに割当てられた前記応答ウィンドウの部分において前記スケジューリング割当ての送信を開始することを含む、
［９］に記載の方法。
［１４］プリアンブル信号を送信することと；
無線アクセスネットワークからのランダムアクセス応答スケジューリング割当ての検索を、検索空間に制限することと；
を含む方法であって、前記検索空間のサイズおよび／または位置は、（ｉ）前記スケジューリング割当ての送信に関する前記通信装置の特徴および／または前記プリアンブル信号から識別可能な前記通信装置の特徴と；（ｉｉ）前記通信装置がランダムアクセスプリアンブル信号を送信するシステムフレームのインデックスと；のうちの１つ以上に少なくとも部分的に依存する方法。
［１５］２以上のシステムフレームにおいて前記プリアンブル信号を送信することとを含む、［１４］に記載の方法であって、
前記識別子は、前記プリアンブル信号が最初に送信された前記システムフレームの前記インデックスに少なくとも部分的に依存する値を有する、方法。
［１６］前記プリアンブル信号は物理ランダムアクセスチャネル信号であり、前記スケジューリング割当ては物理ダウンリンク制御チャネル信号によるものである、［１］から［１５］のいずれかに記載の方法。
［１７］プロセッサと、コンピュータプログラムコードを有するメモリとを含む装置であって、前記メモリおよびコンピュータプログラムコードは、前記プロセッサとともに、前記装置に、
通信装置によって送信されたプリアンブル信号を検出させ、
無線インターフェースを介してランダムアクセス応答メッセージのためのスケジューリング割当てを送信させるように構成され、
前記スケジューリング割当ては、（ｉ）前記スケジューリング割当ての送信に関する前記通信装置の特徴および／または前記プリアンブル信号から識別可能な前記通信装置の特徴と；（ｉｉ）前記プリアンブル信号が検出されたシステムフレームのインデックスと；のうちの１つ以上に少なくとも部分的に依存する値を有する識別子によって識別される装置。
［１８］前記プリアンブル信号は２以上のシステムフレームにおいて送信され、
前記識別子は、前記プリアンブル信号が最初に検出された前記システムフレームの前記インデックスに少なくとも部分的に依存する値を有する、
［１７］に記載の装置。
［１９］前記メモリおよびコンピュータプログラムコードはさらに、前記プロセッサとともに、前記装置に、前記通信装置の前記特徴に応じて、複数のサブフレームにわたってスケジューリング割当てを反復送信させるように構成されている、［１７］または［１８］に記載の装置。
［２０］前記通信装置の前記特徴は、前記通信装置に割当てられたカバレッジ拡張レベルであり、
前記識別子は、一変数として、前記割当てられたカバレッジ拡張レベルを含む数式から求められる値を有する、
［１７］から［２０］のいずれかに記載の装置。
［２１］前記識別子として可能な値の各セットが各カバレッジ拡張レベル用に確保され、
前記メモリおよびコンピュータプログラムコードはさらに、前記プロセッサとともに、前記装置に、前記スケジューリング割当てのための前記識別子の値を前記通信装置に割当てられた前記カバレッジ拡張レベル用に確保された前記可能な値のセットから選択させるように構成されている、
［１７］に記載の装置。
［２２］前記識別子は、ランダムアクセス無線ネットワーク仮識別子である、［１７］から［２１］のいずれかに記載の装置。
［２３］プロセッサと、コンピュータプログラムコードを有するメモリとを含む装置であって、前記メモリおよびコンピュータプログラムコードは、前記プロセッサとともに、前記装置に、
通信装置からプリアンブル信号を送信させ、
（ｉ）前記スケジューリング割当ての送信に関する前記通信装置の特徴および／または前記プリアンブル信号から識別可能な前記通信装置の特徴と；（ｉｉ）前記プリアンブル信号が送信されたシステムフレームのインデックスと；のうちの１つ以上に少なくとも部分的に依存する値を有する識別子によって識別される、ランダムアクセス応答スケジューリング割当てを検索させるように構成されている装置。
［２４］前記メモリおよびコンピュータプログラムコードはさらに、前記プロセッサとともに、前記装置に、前記プリアンブル信号を２以上のシステムフレームにおいて送信させ、
前記識別子は、前記プリアンブル信号が最初に送信された前記システムフレームの前記インデックスに少なくとも部分的に依存する値を有する、
［２３］に記載の装置。
［２５］プロセッサと、コンピュータプログラムコードを有するメモリとを含む装置であって、前記メモリおよびコンピュータプログラムコードは、前記プロセッサとともに、前記装置に、
通信装置から送信されたプリアンブル信号を検出させ、
前記プリアンブル信号に応答してランダムアクセス応答スケジューリング割当てを生成させ、
応答ウィンドウ内のあるタイミングで無線インターフェースを介して前記スケジューリング割当ての送信を開始させるように構成され、
前記応答ウィンドウのサイズおよび／または位置は、前記スケジューリング割当ての送信に関する前記通信装置の特徴と、ランダムアクセスプリアンブル信号が検出されたシステムフレームのインデックスとのうちの１つ以上に少なくとも部分的に依存する装置。
［２６］前記プリアンブル信号は２以上のシステムフレームにおいて送信され、
前記応答ウィンドウのサイズおよび／または位置は、前記プリアンブル信号が最初に検出された前記システムフレームの前記インデックスに少なくとも部分的に依存する値を有する、
［２５］に記載の装置。
［２７］前記メモリおよびコンピュータプログラムコードはさらに、前記プロセッサとともに、前記装置に、前記通信装置の前記特徴に応じて、複数の隣接サブフレームにおいてスケジューリング割当てを反復送信させるように構成されている、［２５］または［２６］に記載の装置。
［２８］前記応答ウィンドウのサイズは、前記通信装置が偶数番のシステムフレームにおいて前記プリアンブル信号を送信することを要求されるか否かに応じて決まる、［２５］から［２７］のいずれかに記載の装置。
［２９］前記通信装置の前記特徴は、前記通信装置に割当てられたカバレッジ拡張レベルであり、
前記応答ウィンドウのそれぞれ異なる部分が各カバレッジ拡張レベルに割当てられ、
前記メモリおよびコンピュータプログラムコードはさらに、前記プロセッサとともに、前記装置に、前記通信装置に割当てられた前記カバレッジ拡張レベルに割当てられた前記応答ウィンドウの部分において前記スケジューリング割当ての送信を開始させるように構成されている、
［２５］に記載の装置。
［３０］プロセッサと、コンピュータプログラムコードを有するメモリとを含む装置であって、前記メモリおよびコンピュータプログラムコードは、前記プロセッサとともに、前記装置に、
プリアンブル信号を送信させ、
無線アクセスネットワークからのランダムアクセス応答スケジューリング割当ての検索を、検索空間に制限させるように構成され、
前記検索空間のサイズおよび／または位置は、（ｉ）前記スケジューリング割当ての送信に関する前記通信装置の特徴および／または前記プリアンブル信号から識別可能な前記通信装置の特徴と；（ｉｉ）前記通信装置がランダムアクセスプリアンブル信号を送信するシステムフレームのインデックスと；のうちの１つ以上に少なくとも部分的に依存する装置。
［３１］前記メモリおよびコンピュータプログラムコードはさらに、前記プロセッサとともに、前記装置に、２以上のシステムフレームにおいて前記プリアンブル信号を送信させるように構成され、
前記識別子は、前記プリアンブル信号が最初に送信された前記システムフレームの前記インデックスに少なくとも部分的に依存する値を有する、
［３０］に記載の装置。
［３２］前記プリアンブル信号は物理ランダムアクセスチャネル信号であり、
前記スケジューリング割当ては物理ダウンリンク制御チャネル信号によるものである、［１７］から［３１］のいずれかに記載の装置。
［３３］［１］から［１６］のいずれかに記載の方法を実施するように構成されている装置。
［３４］プログラムコード手段を含むコンピュータプログラム製品であって、前記プログラムコード手段は、コンピュータに展開されると、前記コンピュータを制御して、
通信装置によって送信されたプリアンブル信号を検出させ、
無線インターフェースを介してランダムアクセス応答メッセージのためのスケジューリング割当てを送信させ、
前記スケジューリング割当ては、（ｉ）前記スケジューリング割当ての送信に関する前記通信装置の特徴および／または前記プリアンブル信号から識別可能な前記通信装置の特徴、および、（ｉｉ）前記プリアンブル信号が検出されたシステムフレームのインデックス、のうちの１つ以上に少なくとも部分的に依存する値を有する識別子によって識別されるコンピュータプログラム製品。
［３５］プログラムコード手段を含むコンピュータプログラム製品であって、前記プログラムコード手段は、コンピュータに展開されると、前記コンピュータを制御して、
通信装置からプリアンブル信号を送信させ、
（ｉ）前記スケジューリング割当ての送信に関する前記通信装置の特徴および／または前記プリアンブル信号から識別可能な前記通信装置の特徴、および、（ｉｉ）前記プリアンブル信号が送信されたシステムフレームのインデックス、のうちの１つ以上に少なくとも部分的に依存する値を有する識別子によって識別される、ランダムアクセス応答スケジューリング割当てを検索させるコンピュータプログラム製品。
［３６］プログラムコード手段を含むコンピュータプログラム製品であって、前記プログラムコード手段は、コンピュータに展開されると、前記コンピュータを制御して、
通信装置から送信されたプリアンブル信号を検出させ、
前記プリアンブル信号に応答してランダムアクセス応答スケジューリング割当てを生成させ、
応答ウィンドウ内のあるタイミングで無線インターフェースを介して前記スケジューリング割当ての送信を開始させるように構成され、
前記応答ウィンドウのサイズおよび／または位置は、前記スケジューリング割当ての送信に関する前記通信装置の特徴、および、ランダムアクセスプリアンブル信号が検出されたシステムフレームのインデックス、のうちの１つ以上に少なくとも部分的に依存するコンピュータプログラム製品。
［３７］プログラムコード手段を含むコンピュータプログラム製品であって、前記プログラムコード手段は、コンピュータに展開されると、前記コンピュータを制御して、
プリアンブル信号を送信させ、
無線アクセスネットワークからのランダムアクセス応答スケジューリング割当ての検索を、検索空間に制限させるように構成され、
前記検索空間のサイズおよび／または位置は、前記スケジューリング割当ての送信に関する前記通信装置の特徴および／または前記プリアンブル信号から識別可能な前記通信装置の特徴と；前記通信装置がランダムアクセスプリアンブル信号を送信するシステムフレームのインデックスと；のうちの１つ以上に少なくとも部分的に依存するコンピュータプログラム製品。
【図面の簡単な説明】
【００７５】
【図１】無線アクセスネットワークのアクセスノードと通信状態にある通信装置の例を示す図である。
【図２】図１に示すユーザ機器の一例の構成要素を示す図である。
【図３】図１に示すアクセスノードに好適な装置の例における構成要素を示す図である。
【図４】サブフレームにおける２以上のスケジューリング割当てに同一のＵＥ識別子が使用されるリスクを低減する技術の一例を示す図である。
【図５ａ】図４の技術におけるｅＮＢの動作例を示す図である。
【図５ｂ】図４の技術におけるＵＥの動作例を示す図である。
【図６】スケジューリング割当て送信の反復因数に基づき、ランダムアクセス応答のためのスケジューリング割当ての反復送信を開始するための応答ウィンドウのサイズを制御する技術の一例を示す図である。
【図７ａ】図６の技術におけるｅＮＢの動作例を示す図である。
【図７ｂ】図６の技術におけるＵＥの動作例を示す図である。
【図８ａ】ｅＮＢの別の動作例を示す図である。
【図８ｂ】ＵＥの別の動作例を示す図である。
【図１】
0006437104.tif 000002
【図２】
0006437104.tif 000003
【図３】
0006437104.tif 000004
【図４】
0006437104.tif 000005
【図５ａ】
0006437104.tif 000006
【図５ｂ】
0006437104.tif 000007
【図６】
0006437104.tif 000008
【図７ａ】
0006437104.tif 000009
【図７ｂ】
0006437104.tif 000010
【図８ａ】
0006437104.tif 000011
【図８ｂ】
0006437104.tif 000012